(57)【要約】【課題】ベッドの設置及び収納を容易にすると共に座席のスライド及びリクライニングを十分に為し得る車両のベッド構造を提供する。【解決手段】運転室のバックパネル２４に対して回動し得るベッド本体２８と、ベッド本体２８に対して折り畳み得るベッド分割部材３２とを備えたベッドが、運転室のバックパネル２４に形成した凹部２５に収納される車両のベッド構造であって、ベッドを使用する際には、ベッド本体２８の回動によりベッド本体２８を水平方向に配置し、且つベッド分割部材３２を展開するよう構成し、ベッドを収納する際には、ベッド分割部材３２を折り畳んで収納することにより、ベッド分割部材３２を展開していた場所を座席のスライドもしくはリクライニングに使用し得るよう構成する。【選択図】        図２
2004217073.tif 000002
【特許請求の範囲】
【請求項１】
運転室のバックパネルに対して回動し得るベッド本体と、該ベッド本体に対して折り畳み得るベッド分割部材とを備えたベッドが、前記運転室のバックパネルに形成した凹部に収納される車両のベッド構造であって、
前記ベッドを使用する際には、ベッド本体の回動によりベッド本体を水平方向に配置し、且つベッド分割部材を展開するよう構成し、
前記ベッドを収納する際には、ベッド分割部材を折り畳んで収納することにより、ベッド分割部材を展開していた場所を座席のスライドもしくはリクライニングに使用し得るよう構成したことを特徴とする車両のベッド構造。
【請求項２】
運転席のサイドパネルに設けられたステーと、ベッド本体に張り出して設けられた支持フレームとを備え、ベッドを使用する際には、展開したベッド分割部材をステー及び支持フレームに載置させるよう構成した請求項１記載の車両のベッド構造。
【請求項３】
ベッドを使用する際にベッドが運転室の床面から離間するようベッド本体をバックパネルに接続した請求項１又は２記載の車両のベッド構造。
【発明の詳細な説明】
【０００１】
【発明の属する技術分野】
本発明は、ベッドを収納し得る車両のベッド構造に関するものである。
【０００２】
【従来の技術】
一般に、トラック等の車両の中には、運転室（キャブ）内に収納可能なベッドを備えるものがあり、車両のベッド構造は、一例として図５に示す如くバックパネル１に回動可能に接続されたマット２を備え、ベッド３を使用する際には、助手席４のシートバック５を前倒しにしてシートバック５の背面をコンソール（図示せず）と同じ高さにし、バックパネル１に立てかけたマット２を回動させてシートバック５の背面及びコンソール上に配置し、マット２と別に備えられた調整クッション６を運転席７のシートクッション（図示せず）に敷いて高さを調整し、ベッド３上を平面にして使用可能にしている。
【０００３】
又、車両のベッド構造の他の一例は、下記の特許文献１に示すものがあり、特許文献１は、図６、図７に示す如く、キャブ８後面のパネル９にヒンジ１０を介して回動可能に接続された簡易ベッド１１を備え、簡易ベッド１１を使用する際には、運転席１２のシートバック１３をステアリングホイール１４に接触させるまで前倒しにし、次に簡易ベッド１１を回動させることにより運転席１２のシートバック１３の背面に載置すると共に支柱１５を配置して簡易ベッド１１を設置し、簡易ベッド１１を使用可能にしている。
【０００４】
【特許文献１】
実開昭５７−１７６３７５号公報
【０００５】
【発明が解決しようとする課題】
しかしながら、マット２を備えた車両のベッド構造は、別の調整クッション６を使用するため、ベッド３の設置及び収納に手間が掛かると共に調整クッション６を紛失する虞れがあり、しかも調整クッション６の部分が運転席７のシートクッションに対応して著しく狭くなるため、寝心地が悪いという問題があった。又、特許文献１に示す車両のベッド構造は、運転席１２及び助手席を前倒しにして簡易ベッド１１を載置するため、簡易ベッド１１の設置及び収納の際には作業者が車外に出て作業する必要があり、非常に手間が掛かるという問題があった。しかも、簡易ベッド１１を収納した際には、運転席１２及び助手席の背後に簡易ベッド１１を位置させるため、運転席１２等のスライド及びリクライニングが著しく制限されるという問題があった。
【０００６】
本発明は、上述の実情に鑑みて成したもので、ベッドの設置及び収納を容易にすると共に座席のスライド及びリクライニングを十分に為し得る車両のベッド構造を提供することを目的としている。
【０００７】
【課題を解決するための手段】
本発明の請求項１は、運転室のバックパネルに対して回動し得るベッド本体と、該ベッド本体に対して折り畳み得るベッド分割部材とを備えたベッドが、前記運転室のバックパネルに形成した凹部に収納される車両のベッド構造であって、前記ベッドを使用する際には、ベッド本体の回動によりベッド本体を水平方向に配置し、且つベッド分割部材を展開するよう構成し、
前記ベッドを収納する際には、ベッド分割部材を折り畳んで収納することにより、ベッド分割部材を展開していた場所を座席のスライドもしくはリクライニングに使用し得るよう構成したことを特徴とする車両のベッド構造に係るものである。
【０００８】
本発明の請求項２は、運転席のサイドパネルに設けられたステーと、ベッド本体に張り出して設けられた支持フレームとを備え、ベッドを使用する際には、展開したベッド分割部材をステー及び支持フレームに載置させるよう構成した請求項１記載の車両のベッド構造に係るものである。
【０００９】
本発明の請求項３は、ベッドを使用する際にベッドが運転室の床面から離間するようベッド本体をバックパネルに接続した請求項１又は２記載の車両のベッド構造に係るものである。
【００１０】
ベッドを使用する際には、ベッド分割部材を折り畳んだベッド本体を回動させることによりベッドを水平方向に配置し、且つベッド分割部材を展開する。又、ベッドを収納する際には、ベッド分割部材をベッド本体に対して折り畳み、ベッド本体を運転室のバックパネルの方向へ回動してベッドをバックパネルの凹部に収納する。ここで、ベッド分割部材をベッド本体へ折り畳んだ状態では、ベッド本体は一方の座席に干渉することなく回動すると共に、一方の座席は、ベッド本体の配置にかかわらずスライドもしくはリクライニング可能に構成されている。
【００１１】
このように、請求項１によれば、ベッド本体及びベッド分割部材を回動してベッドを使用もしくは収納し得るので、ベッドの設置及び収納を容易に行うことができる。又、ベッド分割部材をベッド本体に対して折り畳んで収納するので、ベッド分割部材を展開していた場所を空け、座席のスライドもしくはリクライニングを十分に行うことができる。更に、ベッド分割部材は、凹部に収納し得る大きさであれば運転席のシートクッションの大きさに制限されることなく形成し得るので、ベッド分割部材を大きく形成してベッド使用時の寝心地を向上させることができる。更に又、一方の座席に干渉することなくベッド本体を回動し得るので、作業者は車外に出ることなく、ベッドの設置及び収納の作業を行うことができる。
【００１２】
請求項２によれば、運転席のサイドパネルに設けられたステーと、ベッド本体に張り出して設けられた支持フレームとを備えるので、展開したベッド分割部材をステー及び支持フレームにより確実に載置させ、ベッドを安定に設置することができる。
【００１３】
請求項３によれば、ベッドを使用する際にベッドが運転室の床面から離間するよう構成するので、床面の形状に影響されることなく、ベッドを設置することができる。
【００１４】
【発明の実施の形態】
以下、本発明の実施の形態を図示例と共に説明する。
【００１５】
図１〜図４は本発明を実施する形態例である。
【００１６】
本発明の車両のベッド構造は、小型トラック等の車両における小型の運転室（キャブ）に構成されており、運転室の助手席側のサイドパネル２１には、ベルト帯２２の一端を接続部材２２ａを介して固着し、運転室の運転席側のサイドパネル２０にはアングル状のステー２３を取り付け、運転室のバックパネル２４には、補強構造により生じる凹部２５を形成し、バックパネル２４の凹部２５の上部にはベルト固定部２６を備え、バックパネル２４の凹部２５に下部には、助手席Ｓの後方に位置するよう、ヒンジ２７により回動可能なベッド本体２８を配置している。ここで、図２に示す凹部２５の面にはバックウインドガラス２４ａを配置し、凹部２５の下部には、バックパネル２４の運転室側に位置するようバックトリム等の部材２４ｂを備え、凹部２５の上部には、バックパネル２４の運転室側に位置するようバックトリムやルーフトリム等の部材２４ｃを備えている。なお、図２に示す座席は助手席Ｓである。
【００１７】
ベッド本体２８における助手席Ｓ寄りのサイドパネル側端面２８ａには、ベルト帯２２の他端を接続部材２２ｂを介して固着し、ベッド本体２８における運転席寄りのサイドパネル側端面２８ｂには、ベッド本体２８より張り出す支持フレーム３０を設ける共に、運転室の左右幅方向へ回動するよう、布ヒンジ３１を介してベッド本体２８の表面へ折り畳み可能なベッド分割部材３２を備え、ベッド本体２８の裏面２８ｃにおける反バックパネル側部には、ベルト固定部２６に着脱し得る着脱ベルト帯３３と、ベッド本体２８の裏面２８ｃでブラケット３４を介して回動し得る脚３５とを備えている。
【００１８】
以下、本発明を実施する形態例の作用を説明する。
【００１９】
本発明の車両のベッド構造においてベッドを使用する場合には、助手席ＳのシートバックＳ１を所定位置まで前倒しして第一設置スペースを形成し、ベッド本体２８をバックパネル２４に固定した状態からベルト固定部２６と着脱ベルト帯３３を外すことによりベッド本体２８を回動自由にし、ベッド本体２８を水平方向に配置するよう回動させると共に、ベッド本体２８の裏面２８ｃに折り畳まれた脚３５を回動させることによって運転室の床面３６に接地させる。又、この時、ベッド本体２８の側部をベルト帯２２により吊持させる。続いて、運転席（図示せず）のシートバック（図示せず）を所定位置まで前倒しして第二設置スペースを形成し、設置スペースにベッド分割部材３２を配置するよう、ベッド分割部材３２をベッド本体２８から展開してステー２３及び支持フレーム３０に載置してベッドを最終的に使用可能な状態にする。
【００２０】
一方、本発明の車両のベッド構造においてベッドを収納する場合には、ベッド分割部材３２をベッド本体２８へ折り畳んで運転席を元の位置へ戻し、ベッド本体２８をバックパネル２４に対し略平行になるよう回動させると共に、脚３５を逆方向に回動させることによってベッドの裏面２８ｃに折り畳み、ベルト固定部２６と着脱ベルト帯３３を締結することにより、ベッド分割部材３２をバックパネル２４の凹部２５に配置するようベッド本体２８を略直立させて収納する。
【００２１】
ここで、ベッド分割部材３２をベッド本体２８へ折り畳んだ状態では、ベッド本体２８は運転席に干渉することなく回動すると共に、運転席は、ベッド本体の配置にかかわらずスライドもしくはリクライニング可能に構成されている。又、助手席ＳのシートバックＳ１を前倒ししてベッド本体２８を回動させる際には運転席より作業し、運転席のシートバックを前倒ししてベッド分割部材３２を回動させる際にはベッド本体２８より作業する。
【００２２】
このように、ベッド本体２８及びベッド分割部材３２を回動してベッドを使用もしくは収納し得るので、調整クッション６等のベッド部材を紛失することなく、ベッドの設置及び収納を容易に行うことができる。又、ベッド分割部材３２をベッド本体２８に対して折り畳んで収納するので、ベッド分割部材３２を展開していた場所を空け、運転席のスライドもしくはリクライニングを十分に行うことができる。更に、ベッド分割部材３２は、凹部２５に収納し得る大きさであれば運転席のシートクッションの大きさや厚さに制限されることなく形成し得るので、ベッド分割部材３２を大きく且つ厚く形成してベッド使用時の寝心地を向上させることができる。更に又、助手席ＳのシートバックＳ１を前倒ししてベッド本体２８を回動させる際には運転席より作業し、且つ運転席のシートバックを前倒ししてベッド分割部材３２を回動させる際にはベッド本体２８より作業し得るので、車外に出ることなく、ベッドの設置及び収納の作業を行うことができる。
【００２３】
又、運転席のサイドパネルに設けられたステー２３と、ベッド本体２８に張り出して設けられた支持フレーム３０を備えるので、展開したベッド分割部材３２をステー２３及び支持フレーム３０により確実に載置させ、ベッドを安定に設置することができる。ここで、ベッド分割部材３２は布ヒンジ３１によりベッド本体２８に接続されるので、蝶番の如く回転軸を露出させることなく、ベッドの上面を最適な水平面にすることができる。
【００２４】
更に、ベッドを使用する際にベッドが運転室の床面３６から離間するよう構成するので、床面３６の形状に影響されることなく、ベッドを設置することができる。又、運転室の床面３６を自由に設計し得るので、内部スプリング体等の種々の部材を備え、運転室の乗り心地を向上させることができる。なお、運転席がハイルーフ構造の場合には、ベッド本体２８の平面面積を一層大きく形成することができる。
【００２５】
なお、本発明の車両のベッド構造は上述の形態例のみに限定されるものではなく、ベッド分割部材を運転席側でなく、助手席側に設けてもよいこと、凹部には、ベッド分割部材のみならずベッド本体を収納するようにしてもよいこと、その他、本発明の要旨を逸脱しない範囲内において種々変更を加え得ることは勿論である。
【００２６】
【発明の効果】
以上のように、本発明の車両のベッド構造によれば、下記の如き種々の優れた効果を奏し得る。
【００２７】
Ｉ）請求項１によれば、ベッド本体及びベッド分割部材を回動してベッドを使用もしくは収納し得るので、ベッドの設置及び収納を容易に行うことができる。
又、ベッド分割部材をベッド本体に対して折り畳んで収納するので、ベッド分割部材を展開していた場所を空け、座席のスライドもしくはリクライニングを十分に行うことができる。更に、ベッド分割部材は、凹部に収納し得る大きさであれば運転席のシートクッションの大きさに制限されることなく形成し得るので、ベッド分割部材を大きく形成してベッド使用時の寝心地を向上させることができる。更に又、一方の座席に干渉することなくベッド本体を回動し得るので、作業者は車外に出ることなく、ベッドの設置及び収納の作業を行うことができる。
【００２８】
ＩＩ）請求項２によれば、運転席のサイドパネルに設けられたステーと、ベッド本体に張り出して設けられた支持フレームとを備えるので、展開したベッド分割部材をステー及び支持フレームにより確実に載置させ、ベッドを安定に設置することができる。
【００２９】
ＩＩＩ）請求項３によれば、ベッドを使用する際にベッドが運転室の床面から離間するよう構成するので、床面の形状に影響されることなく、ベッドを設置することができる。
【図面の簡単な説明】
【図１】本発明の車両のベッド構造を実施する形態例においてベッドを収納した状態を示す概略図である。
【図２】図１において助手席及びベッドの回動位置を示す側面図である。
【図３】本発明の車両のベッド構造を実施する形態例においてベッドを使用し得る状態を示す概略図である。
【図４】バックパネルにベッドを回動させるヒンジを示す側面図である。
【図５】従来の車両のベッド構造における一例を示す概略図である。
【図６】従来の車両のベッド構造における他の一例を備えた運転室を示す側面図である。
【図７】図６の簡易ベッドを使用する状態を示す側面図である。
【符号の説明】
２３      ステー
２４      バックパネル
２５      凹部
２８      ベッド本体
２８ｃ  裏面
３０      支持フレーム
３２      ベッド分割部材
３６      床面
【図１】
2004217073.tif 000003
【図２】
2004217073.tif 000004
【図３】
2004217073.tif 000005
【図４】
2004217073.tif 000006
【図５】
2004217073.tif 000007
【図６】
2004217073.tif 000008
【図７】
2004217073.tif 000009